(57)【要約】【課題】４つの感磁素子がブリッジ接続されてなる磁気センサの検出精度を高める。【解決手段】センサ基板２０の表面に設けられた磁性体層４０と、ブリッジ接続される感磁素子Ｒ１〜Ｒ４を備える。磁性体層４０は、いずれも矩形である領域４１〜４６を有する。領域４１は領域４３，４５に挟まれ、領域４２は領域４４，４６に挟まれる。感磁素子Ｒ１は、領域４１，４３間に位置するギャップＧ１によって形成される磁路上に配置され、感磁素子Ｒ２は、領域４２，４６間に位置するギャップＧ２によって形成される磁路上に配置され、感磁素子Ｒ３は、領域４２，４６間に位置するギャップＧ３によって形成される磁路上に配置され、感磁素子Ｒ４は、領域４１，４５間に位置するギャップＧ４によって形成される磁路上に配置される。本発明によれば、各感磁素子に流れる電流によって生じる磁束が他の感磁素子に影響を与えることがないので、検出精度が高められる。【選択図】図４
2019074481.tif 000002
【特許請求の範囲】
【請求項１】
センサ基板と、
センサ基板上に設けられた磁性体層と、
ブリッジ接続される第１乃至第４の感磁素子と、を備え、
前記磁性体層は、いずれも矩形である第１乃至第６の領域を有し、
前記第１の領域は、前記第３の領域と前記第５の領域に挟まれるよう設けられ、
前記第２の領域は、前記第４の領域と前記第６の領域に挟まれるよう設けられ、
前記第１の感磁素子は、前記第１の領域と前記第３の領域の間に位置する第１のギャップによって形成される磁路上に配置され、
前記第２の感磁素子は、前記第２の領域と前記第６の領域の間に位置する第２のギャップによって形成される磁路上に配置され、
前記第３の感磁素子は、前記第２の領域と前記第４の領域の間に位置する第３のギャップによって形成される磁路上に配置され、
前記第４の感磁素子は、前記第１の領域と前記第５の領域の間に位置する第４のギャップによって形成される磁路上に配置されることを特徴とする磁気センサ。
【請求項２】
前記磁性体層の前記第１及び第２の領域を覆うよう、前記センサ基板上に設けられた第１の外部磁性体をさらに備えることを特徴とする請求項１に記載の磁気センサ。
【請求項３】
前記第１乃至第４のギャップの延在方向である第１の方向における前記第１の外部磁性体の幅は、前記磁性体層の前記第１及び第２の領域の前記第１の方向における合計幅よりも広く、これにより、前記第１及び第２の領域の前記第１の方向における全幅が前記第１の外部磁性体によって覆われていることを特徴とする請求項２に記載の磁気センサ。
【請求項４】
前記磁性体層の前記第３及び第４の領域の近傍に設けられた第２の外部磁性体と、前記磁性体層の前記第５及び第６の領域の近傍に設けられた第３の外部磁性体とをさらに備えることを特徴とする請求項２又は３に記載の磁気センサ。
【請求項５】
前記磁性体層の前記第１の領域と前記第２の領域は、一体的であり且つ全体として矩形であることを特徴とする請求項１乃至４のいずれか一項に記載の磁気センサ。
【請求項６】
前記磁性体層の前記第３の領域と前記第４の領域は、一体的であり且つ全体として矩形であり、
前記磁性体層の前記第５の領域と前記第６の領域は、一体的であり且つ全体として矩形であることを特徴とする請求項１乃至５のいずれか一項に記載の磁気センサ。
【請求項７】
前記第１の感磁素子は、前記磁性体層の前記第１及び第３の領域と重なりを有しており、
前記第２の感磁素子は、前記磁性体層の前記第２及び第６の領域と重なりを有しており、
前記第３の感磁素子は、前記磁性体層の前記第２及び第４の領域と重なりを有しており、
前記第４の感磁素子は、前記磁性体層の前記第１及び第５の領域と重なりを有していることを特徴とする請求項１乃至６のいずれか一項に記載の磁気センサ。
【請求項８】
前記磁性体層には、ループ状の外周を有する切り欠き部が設けられていることを特徴とする請求項１乃至７のいずれか一項に記載の磁気センサ。
【請求項９】
前記第１、第２、第３及び第４の感磁素子は、それぞれ前記第１、第２、第３及び第４のギャップによって形成される磁路上に配置された複数の感磁素子が直列接続されてなることを特徴とする請求項１乃至８のいずれか一項に記載の磁気センサ。
【請求項１０】
前記磁性体層は、平面視で、前記第１、第２、第３及び第４の感磁素子をそれぞれ構成する前記複数の感磁素子間に配置された第７の領域をさらに有することを特徴とする請求項９に記載の磁気センサ。
【請求項１１】
前記磁性体層の前記第７の領域は、前記第１、第２、第３及び第４の感磁素子をそれぞれ構成する前記複数の感磁素子と重なりを有していることを特徴とする請求項１０に記載の磁気センサ。
【請求項１２】
前記磁性体層の前記第７の領域は、前記第１乃至第４のギャップの延在方向である第１の方向に分割されていることを特徴とする請求項１０又は１１に記載の磁気センサ。
【請求項１３】
前記第１乃至第４の感磁素子は、いずれも磁気抵抗素子であることを特徴とする請求項１乃至１２のいずれか一項に記載の磁気センサ。
【請求項１４】
前記第１乃至第４の感磁素子を構成する磁気抵抗素子の感度方向は互いに同一であることを特徴とする請求項１３に記載の磁気センサ。
【請求項１５】
前記第１乃至第４の感磁素子を構成する磁気抵抗素子は、スピンバルブ型ＧＭＲ素子であることを特徴とする請求項１３又は１４に記載の磁気センサ。
【発明の詳細な説明】
【技術分野】
【０００１】
本発明は磁気センサに関し、特に、４つの感磁素子がブリッジ接続されてなる磁気センサに関する。
【背景技術】
【０００２】
感磁素子を用いた磁気センサは、電流計や磁気エンコーダなどに広く用いられている。特許文献１に記載されているように、磁気センサには、感磁素子に磁束を集めるための外部磁性体が設けられることがある。しかしながら、特許文献１に記載された磁気センサでは、検出すべき磁束が感磁素子に十分に集中しないことから、検出精度を高めることは困難である。
【０００３】
一方、特許文献２に記載された磁気センサは、感磁素子が形成されるセンサ基板上に磁性体層が設けられており、これにより検出すべき磁束を感磁素子に集中させている。特許文献２に記載された磁気センサでは、３つの磁性体層を用いて２つのギャップを形成し、これら２つのギャップのそれぞれに２つの感磁素子を配置することにより、合計４つの感磁素子によるブリッジ回路を構成している。
【先行技術文献】
【特許文献】
【０００４】
【特許文献１】特許第５５００７８５号公報
【特許文献２】特許第４９６４３０１号公報
【発明の概要】
【発明が解決しようとする課題】
【０００５】
しかしながら、特許文献２に記載された磁気センサでは、磁性体層によって形成されるギャップの数が２つであることから、ブリッジ回路を構成する２つの感磁素子が同じギャップ内に配置されることになる。これら２つの感磁素子に流れる電流は、一方が減少すると他方が増加する関係にあることから、一方の感磁素子に流れる電流によって生じる磁束が他方の感磁素子に無視できない影響を与え、その結果、検出精度が低下するおそれがあった。
【０００６】
したがって、本発明は、４つの感磁素子がブリッジ接続されてなる改良された磁気センサを提供することを目的とする。
【課題を解決するための手段】
【０００７】
本発明による磁気センサは、センサ基板と、センサ基板上に設けられた磁性体層と、ブリッジ接続される第１乃至第４の感磁素子とを備え、磁性体層は、いずれも矩形である第１乃至第６の領域を有し、第１の領域は、第３の領域と第５の領域に挟まれるよう設けられ、第２の領域は、第４の領域と第６の領域に挟まれるよう設けられ、第１の感磁素子は、第１の領域と第３の領域の間に位置する第１のギャップによって形成される磁路上に配置され、第２の感磁素子は、第２の領域と第６の領域の間に位置する第２のギャップによって形成される磁路上に配置され、第３の感磁素子は、第２の領域と第４の領域の間に位置する第３のギャップによって形成される磁路上に配置され、第４の感磁素子は、第１の領域と第５の領域の間に位置する第４のギャップによって形成される磁路上に配置されることを特徴とする。
【０００８】
本発明によれば、４つの感磁素子が互いに異なるギャップによって形成される磁路上に配置されていることから、各感磁素子に流れる電流によって生じる磁束が他の感磁素子に影響を与えることがない。これにより、より検出精度の高い磁気センサを提供することが可能となる。しかも、磁性体層を構成する各領域が矩形であることから、磁性体層を複雑な形状とした場合に顕著となるバルクハウゼンノイズを抑制することも可能となる。また、各感磁素子のサイズを十分に確保することができるため、高いＳ／Ｎ比を得ることも可能となる。
【０００９】
本発明による磁気センサは、磁性体層の第１及び第２の領域を覆うよう、センサ基板上に設けられた第１の外部磁性体をさらに備えていても構わない。これによれば、センサ基板に対して垂直方向の磁束の選択性を高めることができる。
【００１０】
この場合、第１乃至第４のギャップの延在方向である第１の方向における第１の外部磁性体の幅は、磁性体層の第１及び第２の領域の第１の方向における合計幅よりも広く、これにより、第１及び第２の領域の第１の方向における全幅が第１の外部磁性体によって覆われていても構わない。これによれば、第１の外部磁性体に位置ずれに起因する検出精度の低下を抑制することが可能となる。
【００１１】
本発明による磁気センサは、磁性体層の第３及び第４の領域の近傍に設けられた第２の外部磁性体と、磁性体層の第５及び第６の領域の近傍に設けられた第３の外部磁性体とをさらに備えていても構わない。これによれば、より高い検出精度を得ることが可能となる。
【００１２】
本発明において、磁性体層の第１の領域と第２の領域は、一体的であり且つ全体として矩形であっても構わない。また、磁性体層の第３の領域と第４の領域は、一体的であり且つ全体として矩形であり、磁性体層の第５の領域と第６の領域は、一体的であり且つ全体として矩形であっても構わない。これらによれば、磁性体層の平面形状をより単純化することが可能となる。
【００１３】
本発明において、第１の感磁素子は、磁性体層の第１及び第３の領域と重なりを有しており、第２の感磁素子は、磁性体層の第２及び第６の領域と重なりを有しており、第３の感磁素子は、磁性体層の第２及び第４の領域と重なりを有しており、第４の感磁素子は、磁性体層の第１及び第５の領域と重なりを有していても構わない。これによれば、漏れ磁束が低減されるため、より高い検出精度を得ることが可能となる。
【００１４】
本発明において、磁性体層には、ループ状の外周を有する切り欠き部が設けられていても構わない。これによれば、磁性体層の残留磁束が切り欠き部の外周を周回することから、残留磁束による検出精度の低下を防止することが可能となる。
【００１５】
本発明において、第１、第２、第３及び第４の感磁素子は、それぞれ第１、第２、第３及び第４のギャップによって形成される磁路上に配置された複数の感磁素子が直列接続されてなるものであっても構わない。これによれば、より高い検出精度を得ることが可能となる。
【００１６】
この場合、磁性体層は、平面視で、第１、第２、第３及び第４の感磁素子をそれぞれ構成する複数の感磁素子間に配置された第７の領域をさらに有していても構わない。これによれば、複数の感磁素子間における漏れ磁束を低減することが可能となる。さらにこの場合、磁性体層の第７の領域は、第１、第２、第３及び第４の感磁素子をそれぞれ構成する複数の感磁素子と重なりを有していても構わない。これによれば、複数の感磁素子間における漏れ磁束をよりいっそう低減することが可能となる。また、磁性体層の第７の領域は、第１乃至第４のギャップの延在方向である第１の方向に分割されていても構わない。これによれば、磁性体層の第７の領域が磁気的に異方性を持つことから、より高い検出精度を得ることが可能となる。
【００１７】
本発明において、第１乃至第４の感磁素子は、いずれも磁気抵抗素子であることが好ましい。この場合、第１乃至第４の感磁素子を構成する磁気抵抗素子の感度方向は互いに同一であることが好ましく、第１乃至第４の感磁素子を構成する磁気抵抗素子は、スピンバルブ型ＧＭＲ素子であることが好ましい。
【発明の効果】
【００１８】
本発明によれば、４つの感磁素子が互いに異なるギャップによって形成される磁路上に配置されることから、これら４つの感磁素子をブリッジ接続することにより、検出精度の高い磁気センサを構成することが可能となる。
【図面の簡単な説明】
【００１９】
【図１】図１は、本発明の好ましい実施形態による磁気センサ１００の外観を示す略斜視図である。
【図２】図２は、磁気センサ１００の略分解斜視図である。
【図３】図３は、図１に示すＡ−Ａ線に沿った略断面図である。
【図４】図４は、センサ基板２０の素子形成面２１の構造を説明するための略平面図である。
【図５】図５は、図４に示すＢ−Ｂ線に沿った略断面図である。
【図６】図６は、感磁素子Ｒ１〜Ｒ４とボンディングパッド５１〜５４の接続関係を説明するための回路図である。
【図７】図７は、第１の変形例による磁気センサ１０１の主要部の構成を説明するための略断面図である。
【図８】図８は、第２の変形例による磁気センサ１０２の主要部の構成を説明するための略断面図である。
【図９】図９は、第３の変形例による磁気センサ１０３の主要部の構成を説明するための略断面図である。
【図１０】図１０は、第４の変形例による磁気センサ１０４の主要部の構成を説明するための略断面図である。
【図１１】図１１は、第５の変形例による磁気センサ１０５の主要部の構成を説明するための略断面図である。
【図１２】図１２は、第６の変形例による磁気センサ１０６の主要部の構成を説明するための略断面図である。
【図１３】図１３は、第７の変形例による磁気センサ１０７の主要部の構成を説明するための略平面図である。
【図１４】図１４は、第８の変形例による磁気センサ１０８の主要部の構成を説明するための略平面図である。
【図１５】図１５は、第９の変形例による磁気センサ１０９の主要部の構成を説明するための略平面図である。
【図１６】図１６は、第１０の変形例による磁気センサ１１０の主要部の構成を説明するための略平面図である。
【図１７】図１７は、第１１の変形例による磁気センサ１１１の主要部の構成を説明するための略平面図である。
【図１８】図１８は、第１２の変形例による磁気センサ１１２の主要部の構成を説明するための略平面図である。
【図１９】図１９は、第１３の変形例による磁気センサ１１３の主要部の構成を説明するための略平面図である。
【図２０】図２０は、第１４の変形例による磁気センサ１１４の主要部の構成を説明するための略平面図である。
【図２１】図２１は、第１５の変形例による磁気センサ１１５の主要部の構成を説明するための略断面図である。
【図２２】図２２は、磁気センサ１１５の変形例を説明するための略断面図である。
【図２３】図２３は、第１６の変形例による磁気センサ１１６の主要部の構成を説明するための略平面図である。
【図２４】図２４は、第１７の変形例による磁気センサ１１７の主要部の構成を説明するための略断面図である。
【図２５】図２５は、第１８の変形例による磁気センサ１１８の主要部の構成を説明するための略断面図である。
【図２６】図２６は、第１９の変形例による磁気センサ１１９の主要部の構成を説明するための略断面図である。
【図２７】図２７は、第２０の変形例による磁気センサ１２０の主要部の構成を説明するための略斜視図である。
【発明を実施するための形態】
【００２０】
以下、添付図面を参照しながら、本発明の好ましい実施形態について詳細に説明する。
【００２１】
図１は、本発明の好ましい実施形態による磁気センサ１００の外観を示す略斜視図である。また、図２は磁気センサ１００の略分解斜視図であり、図３は図１に示すＡ−Ａ線に沿った略断面図である。
【００２２】
図１〜図３に示すように、本実施形態による磁気センサ１００は、開口部１１を有する回路基板１０と、開口部１１に配置されたセンサ基板２０と、センサ基板２０に固定された第１〜第４の外部磁性体３１〜３４とを備えている。センサ基板２０は、回路基板１０よりも小さいチップ部品であり、後述する感磁素子を有している。また、第１〜第４の外部磁性体３１〜３４は、フェライトなど透磁率の高い軟磁性材料からなるブロックである。
【００２３】
センサ基板２０は略直方体形状を有し、ｘｙ平面を構成する素子形成面２１には第１の外部磁性体３１が配置されている。センサ基板２０の作製方法としては、集合基板に多数のセンサ基板２０を同時に形成し、これらを分離することによって多数個取りする方法が一般的であるが、本発明がこれに限定されるものではなく、個々のセンサ基板２０を別個に作製しても構わない。詳細については後述するが、素子形成面２１には４つの感磁素子Ｒ１〜Ｒ４及び磁性体層４０が形成されている。また、素子形成面２１には４つのボンディングパッド５１〜５４が設けられており、対応するボンディングワイヤＢＷを介して、回路基板１０に設けられたボンディングパッド６１〜６４にそれぞれ接続されている。
【００２４】
さらに、第２及び第３の外部磁性体３２，３３は、センサ基板２０のｘ方向における両側にそれぞれ配置されている。第２及び第３の外部磁性体３２，３３は、センサ基板２０の底部に位置する第４の外部磁性体３４を介して接続されており、これにより第２〜第４の外部磁性体３２〜３４は単一の磁性ブロック３５を構成する。そして、この磁性ブロック３５が回路基板１０の開口部１１に挿入されるよう配置されている。磁性ブロック３５には、センサ基板２０を収容するための凹部３６が設けられており、この凹部３６にセンサ基板２０が収容されると、センサ基板２０の素子形成面２１と、第２及び第３の外部磁性体３２，３３の先端が近接し、ほぼ同一平面を構成する。
【００２５】
次に、センサ基板２０の素子形成面２１に形成される各構成要素について詳細に説明する。
【００２６】
図４は、センサ基板２０の素子形成面２１の構造を説明するための略平面図である。また、図５は、図４に示すＢ−Ｂ線に沿った略断面図である。
【００２７】
図４及び図５に示すように、センサ基板２０の素子形成面２１には、磁性体層４０が形成されている。特に限定されるものではないが、磁性体層４０としては、樹脂材料に磁性フィラーが分散された複合磁性材料からなる膜であっても構わないし、ニッケル又はパーマロイなどの軟磁性材料からなる薄膜もしくは箔であっても構わないし、フェライトなどからなる薄膜又はバルクシートであっても構わない。
【００２８】
本実施形態においては、磁性体層４０が第１の領域４１〜第６の領域４６に分割されている。第１の領域４１〜第６の領域４６はいずれも矩形状であり、いずれも２辺がｘ方向に延在し、残りの２辺がｙ方向に延在する。このうち、第１の領域４１と第２の領域４２は、素子形成面２１のｘ方向における略中央部に配置されており、互いにｙ方向に隣接している。また、第１の領域４１のｘ方向における両側には第３の領域４３と第５の領域４５が設けられており、これにより、第１の領域４１は第３の領域４３と第５の領域４５によってｘ方向に挟まれている。同様に、第２の領域４２のｘ方向における両側には第４の領域４４と第６の領域４６が設けられており、これにより、第２の領域４２は第４の領域４４と第６の領域４６によってｘ方向に挟まれている。また、第３の領域４３と第４の領域４４は互いにｙ方向に隣接しており、同様に、第５の領域４５と第６の領域４６は互いにｙ方向に隣接している。
【００２９】
特に限定されるものではないが、第１の外部磁性体３１のｙ方向における幅は、磁性体層４０の第１及び第２の領域４１，４２のｙ方向における合計幅よりも広く、これにより、第１及び第２の領域４１，４２のｙ方向における全幅が第１の外部磁性体３１によって覆われていることが好ましい。これによれば、製造時において、第１の外部磁性体３１と磁性体層４０との相対的な位置関係にずれが生じたとしても、検出精度が大幅に低下することがない。位置ずれとしては、ｘｙ方向におけるずれの他、回転ずれも考えられる。
【００３０】
ここで、磁性体層４０の第１の領域４１と第２の領域４２は、互いに同じ形状及びサイズを有しており、ｘ方向に延在する仮想的な直線Ｌ１を対称軸として線対称である。このような対称形状のため、第１の外部磁性体３１を介して取り込まれた磁束は、磁性体層４０の第１の領域４１と第２の領域４２に対してほぼ均等に分配される。また、第１及び第２の領域４１，４２は、いずれもｙ方向に延在する仮想的な直線Ｌ２を対称軸として線対称となるよう配置されている。
【００３１】
また、磁性体層４０の第３の領域４３と第４の領域４４は、互いに同じ形状及びサイズを有しており、ｘ方向に延在する仮想的な直線Ｌ１を対称軸として線対称である。このような対称形状のため、第２の外部磁性体３２を介して取り込まれた磁束は、磁性体層４０の第３及び第４の領域４３，４４に対してほぼ均等に分配される。同様に、磁性体層４０の第５の領域４５と第６の領域４６は、互いに同じ形状及びサイズを有しており、ｘ方向に延在する仮想的な直線Ｌ１を対称軸として線対称である。このような対称形状のため、第３の外部磁性体３３を介して取り込まれた磁束は、磁性体層４０の第５及び第６の領域４５，４６に対してほぼ均等に分配される。また、第３及び第４の領域４３，４４と第５及び第６の領域４５，４６は、ｙ方向に延在する仮想的な直線Ｌ２を対称軸として互いに線対称となるよう配置されている。
【００３２】
第１の領域４１のｘ方向における一方の端部は、第１のギャップＧ１を介して、第３の領域４３のｘ方向における一方の端部と対向している。また、第１の領域４１のｘ方向における他方の端部は、第４のギャップＧ４を介して、第５の領域４５のｘ方向における一方の端部と対向している。同様に、第２の領域４２のｘ方向における一方の端部は、第３のギャップＧ３を介して、第４の領域４４のｘ方向における一方の端部と対向している。また、第２の領域４２のｘ方向における他方の端部は、第２のギャップＧ２を介して、第６の領域４６のｘ方向における一方の端部と対向している。上述の通り、各領域４１〜４６はいずれも矩形であるため、各領域４１〜４６の上記端部のｙ方向における長さは、当該領域のｙ方向における幅とほぼ一致している。
【００３３】
図４に示すように、第１〜第４のギャップＧ１〜Ｇ４には、それぞれｙ方向に延在する第１〜第４の感磁素子Ｒ１〜Ｒ４が配置されている。第１〜第４のギャップＧ１〜Ｇ４のｘ方向における幅は互いに同一である。第１〜第４の感磁素子Ｒ１〜Ｒ４は、磁性体層４０とは接していない。
【００３４】
感磁素子Ｒ１〜Ｒ４は、磁束密度によって物理特性の変化する素子であれば特に限定されないが、磁界の向きに応じて電気抵抗が変化する磁気抵抗素子であることが好ましく、スピンバルブ型ＧＭＲ素子であることが特に好ましい。本実施形態においては、感磁素子Ｒ１〜Ｒ４の感度方向（固定磁化方向）は、図４及び図５の矢印Ｃが示す方向（ｘ方向におけるプラス側）に全て揃えられている。
【００３５】
図５に示すように、第１の外部磁性体３１はｚ方向の磁束φを集め、これを磁性体層４０の第１及び第２の領域４１，４２に放出する役割を果たす。第１の外部磁性体３１のｚ方向における高さについては特に限定されないが、ｚ方向における高さをより高くすることによって、ｚ方向の磁束の選択性を高めることができる。但し、第１の外部磁性体３１のｚ方向における高さが高すぎると、第１の外部磁性体３１の支持が不安定となるおそれがあることから、安定的な支持を確保できる範囲において高くすることが好ましい。
【００３６】
第１の外部磁性体３１を介して磁性体層４０の第１及び第２の領域４１，４２に集められた磁束φは、第１及び第２の領域４１，４２に対してほぼ均等に分配された後、第１〜第４の感磁素子Ｒ１〜Ｒ４を介してそれぞれ第３〜第６の領域４３〜４６へと放出される。これにより、感磁素子Ｒ１，Ｒ３と感磁素子Ｒ２，Ｒ４には、互いに逆方向の磁束が与えられることになる。上述の通り、感磁素子Ｒ１〜Ｒ４の磁化固定方向は、矢印Ｃが示すｘプラス方向に向けられていることから、磁束のｘ方向における成分に対して感度を持つことになる。
【００３７】
磁性体層４０の第３及び第４の領域４３，４４に到達した磁束は、第２の外部磁性体３２に回収される。同様に、磁性体層４０の第５及び第６の領域４５，４６に到達した磁束は、第３の外部磁性体３３に回収される。
【００３８】
図６は、感磁素子Ｒ１〜Ｒ４とボンディングパッド５１〜５４の接続関係を説明するための回路図である。
【００３９】
図６に示すように、ボンディングパッド５１，５４には、回路基板１０側からそれぞれグランド電位Ｇｎｄ及び電源電位Ｖｄｄが供給される。また、ボンディングパッド５１，５４間には、感磁素子Ｒ１，Ｒ２が直列に接続されるとともに、感磁素子Ｒ４，Ｒ３が直列に接続される。そして、感磁素子Ｒ３，Ｒ４の接続点はボンディングパッド５２に接続され、感磁素子Ｒ１，Ｒ２の接続点はボンディングパッド５３に接続される。このようなブリッジ接続により、ボンディングパッド５３に現れる電位Ｖａとボンディングパッド５２に現れる電位Ｖｂを参照することにより、磁束密度に応じた感磁素子Ｒ１〜Ｒ４の電気抵抗の変化を高感度に検出することが可能となる。
【００４０】
具体的には、感磁素子Ｒ１〜Ｒ４が全て同一の磁化固定方向を有していることから、第１の外部磁性体３１からみて一方側に位置する感磁素子Ｒ１，Ｒ３の抵抗変化量と、第１の外部磁性体３１からみて他方側に位置する感磁素子Ｒ２，Ｒ４の抵抗変化量との間には差が生じる。この差は、図６に示した差動ブリッジ回路によって２倍に増幅され、ボンディングパッド５２，５３に現れる。回路基板１０には、図示しない電圧検出回路が設けられており、ボンディングパッド５２，５３に現れる電位Ｖａ，Ｖｂの差を検出することによって、磁束密度を測定することが可能となる。
【００４１】
そして、本実施形態による磁気センサ１００は、センサ基板２０の素子形成面２１に磁性体層４０が設けられており、磁性体層４０に設けられた４つのギャップＧ１〜Ｇ４にそれぞれ感磁素子Ｒ１〜Ｒ４が配置されていることから、ある感磁素子に流れる電流によって生じる磁束が他の感磁素子に影響を与えることがない。これにより、従来よりも高い検出精度を得ることが可能となる。
【００４２】
しかも、磁性体層４０を構成する各領域４１〜４６が矩形であることから、磁性体層を複雑な形状とした場合に顕著となるバルクハウゼンノイズを抑制することも可能となる。また、感磁素子Ｒ１〜Ｒ４のｙ方向における長さを十分に確保することができるため、高いＳ／Ｎ比を得ることも可能となる。
【００４３】
また、本実施形態による磁気センサ１００は、第１の外部磁性体３１を備えていることから、ｚ方向の磁束を選択的に検出することができる。しかも、本実施形態による磁気センサ１００は、第２の外部磁性体３２と第３の外部磁性体３３が一体化されていることから、センサ基板２０の背後に回り込む磁束の磁気抵抗を低減することもできる。
【００４４】
以下、本実施形態による磁気センサ１００のいくつかの変形例について説明する。
【００４５】
図７は、第１の変形例による磁気センサ１０１の主要部の構成を説明するための略断面図である。図７に示す例では、センサ基板２０の表面に絶縁層２２，２３がこの順に積層されており、絶縁層２２の表面が素子形成面２１を構成している。そして、素子形成面２１である絶縁層２２の表面に感磁素子Ｒ１〜Ｒ４が設けられ、上層に位置する絶縁層２３の表面に磁性体層４０が設けられている。このように、第１の変形例による磁気センサ１０１では、感磁素子Ｒ１〜Ｒ４と磁性体層４０が異なる層に位置しており、磁性体層４０の第１及び第３の領域４１，４３によって形成されるギャップＧ１と平面視で重なる位置に感磁素子Ｒ１が配置され、磁性体層４０の第１及び第５の領域４１，４５によって形成されるギャップＧ４と平面視で重なる位置に感磁素子Ｒ４が配置される。感磁素子Ｒ２，Ｒ３についても同様である。第１の変形例による磁気センサ１０１が例示するように、本発明において、感磁素子Ｒ１〜Ｒ４と磁性体層４０のｚ方向における位置は互いに異なっていても構わない。この場合、感磁素子Ｒ１〜Ｒ４は、厳密にはギャップＧ１〜Ｇ４間には位置しないが、ギャップＧ１〜Ｇ４によって形成される磁路上に配置されることから、ギャップＧ１〜Ｇ４を通過する磁束を正しく検出することが可能となる。
【００４６】
図８は、第２の変形例による磁気センサ１０２の主要部の構成を説明するための略断面図である。図８に示す例では、感磁素子Ｒ１の一部が磁性体層４０の第１及び第３の領域４１，４３とｚ方向に重なりを有しており、感磁素子Ｒ４の一部が磁性体層４０の第１及び第５の領域４１，４５とｚ方向に重なりを有している。感磁素子Ｒ２，Ｒ３についても同様である。本例においても、感磁素子Ｒ１〜Ｒ４は、厳密にはギャップＧ１〜Ｇ４間には位置しないが、ギャップＧ１〜Ｇ４によって形成される磁路上に配置されている。このように、感磁素子Ｒ１〜Ｒ４と磁性体層４０のｚ方向における位置が互いに異なっている場合、ギャップＧ１〜Ｇ４の近傍において両者の一部がｚ方向に重なるよう配置すれば、漏れ磁束が低減されるため、より高い検出精度を得ることが可能となる。
【００４７】
図９は、第３の変形例による磁気センサ１０３の主要部の構成を説明するための略断面図である。図９に示す例では、センサ基板２０の表面に絶縁層２４，２５，２６がこの順に積層されており、絶縁層２５の表面が素子形成面２１を構成している。そして、素子形成面２１である絶縁層２５の表面に感磁素子Ｒ１〜Ｒ４が設けられ、下層に位置する絶縁層２４の表面に磁性体層４０の第３〜第６の領域４３〜４６が設けられ、上層に位置する絶縁層２６の表面に磁性体層４０の第１及び第２の領域４１，４２が設けられている。このように、第３の変形例による磁気センサ１０３では、第１及び第２の領域４１，４２と第３〜第６の領域４３〜４６が異なる層に位置しており、これらの一部が重なることによって立体的なギャップＧ１〜Ｇ４が形成されている。そして、これらギャップＧ１〜Ｇ４間に感磁素子Ｒ１〜Ｒ４が配置される構成を有している。第３の変形例による磁気センサ１０３が例示するように、ギャップＧ１〜Ｇ４は平面的なものである必要はなく、立体的なものであっても構わない。
【００４８】
図１０は、第４の変形例による磁気センサ１０４の主要部の構成を説明するための略断面図である。図１０に示す例では、磁性体層４０の第１及び第２の領域４１，４２と第３〜第６の領域４３〜４６が異なる層に位置しており、且つ、互いに重なりを有していない。このため、第１及び第２の領域４１，４２と第３〜第６の領域４３〜４６によって斜め方向のギャップＧ１〜Ｇ４が形成され、これらギャップＧ１〜Ｇ４に相当する位置に感磁素子Ｒ１〜Ｒ４が配置されている。この場合、感磁素子Ｒ１〜Ｒ４と磁性体層４０は、重なりを有していても構わないし、重なりを有していなくても構わない。
【００４９】
図１１は、第５の変形例による磁気センサ１０５の主要部の構成を説明するための略断面図である。図１１に示す例では、第２の外部磁性体３２と第３の外部磁性体３３が一体化されておらず、互いに分離されている。このような構成においては、センサ基板２０の背後に回り込む磁束の磁気抵抗が若干増加するものの、上述した磁気センサ１００とほぼ同様の効果を得ることができる。
【００５０】
図１２は、第６の変形例による磁気センサ１０６の主要部の構成を説明するための略断面図である。図１２に示す例では、第２及び第３の外部磁性体３２，３３が省略されている。このような構成においては、第２及び第３の外部磁性体３２，３３による集磁効果がなくなるものの、上述した磁気センサ１００とほぼ同様の効果を得ることができる。
【００５１】
図１３は、第７の変形例による磁気センサ１０７の主要部の構成を説明するための略平面図である。図１３に示す例では、磁性体層４０の第１の領域４１と第２の領域４２が一体的であり、且つ、全体として矩形である。第７の変形例による磁気センサ１０７が例示するように、本発明において、磁性体層４０の第１の領域４１と第２の領域４２が互いに分離していることは必須でなく、両者が一体化していても構わない。
【００５２】
図１４は、第８の変形例による磁気センサ１０８の主要部の構成を説明するための略平面図である。図１４に示す例では、磁性体層４０の第３の領域４３と第４の領域４４が一体的であり、且つ、全体として矩形であるとともに、磁性体層４０の第５の領域４５と第６の領域４６が一体的であり、且つ、全体として矩形である。第８の変形例による磁気センサ１０８が例示するように、本発明において、磁性体層４０の第３の領域４３と第４の領域４４や、第５の領域４５と第６の領域４６が互いに分離していることは必須でなく、両者が一体化していても構わない。
【００５３】
図１５は、第９の変形例による磁気センサ１０９の主要部の構成を説明するための略平面図である。図１５に示す例では、磁性体層４０の第１の領域４１と第２の領域４２が一体的であり、且つ、全体として矩形であり、第３の領域４３と第４の領域４４が一体的であり、且つ、全体として矩形であり、磁性体層４０の第５の領域４５と第６の領域４６が一体的であり、且つ、全体として矩形である。このような構成によれば、磁性体層４０の平面形状がより単純化することから、バルクハウゼンノイズをより低減することが可能となる。
【００５４】
図１６は、第１０の変形例による磁気センサ１１０の主要部の構成を説明するための略平面図である。図１６に示す例では、磁性体層４０にいくつかの切り欠き部７１が設けられている。切り欠き部７１は、ループ状の外周を有する独立したスペースパターンであり、いずれもｙ方向を長軸方向とする楕円形である。独立したスペースパターンとは、外周が閉じていることを意味する。図１６に示す例では、第１及び第２の領域４１，４２にそれぞれ２つの切り欠き部７１が設けられ、第３〜第６の領域４３〜４６にそれぞれ１つの切り欠き部７１が設けられている。第１及び第２の領域４１，４２においては、第１の外部磁性体３１で覆われる部分を避けて切り欠き部７１が配置されており、これにより第１及び第２の領域４１，４２における集磁効果の低下を防止している。このような切り欠き部７１を設ければ、磁性体層４０の残留磁束が切り欠き部７１の外周を周回することから、残留磁束による検出精度の低下を防止することが可能となる。
【００５５】
図１７は、第１１の変形例による磁気センサ１１１の主要部の構成を説明するための略平面図である。図１７に示す例では、切り欠き部７１の内径領域に島状の独立パターン７２が設けられている点において、図１６に示す例と相違している。独立パターン７２は、切り欠き部７１を介して磁性体層４０と分離されている。このような独立パターン７２を追加すれば、切り欠き部７１を形成することによる磁気抵抗の増加を最小限に抑えることが可能となる。
【００５６】
図１８は、第１２の変形例による磁気センサ１１２の主要部の構成を説明するための略平面図である。図１８に示す例では、磁性体層４０の第１及び第２の領域４１，４２にそれぞれ１つの大きな切り欠き部７３が設けられている点において、図１６に示す例と相違している。切り欠き部７３もループ状の外周を有する独立したスペースパターンであり、いずれもｘ方向を長軸方向とする楕円形である。このような構成であっても、図１６に示す例と同様の効果を得ることができる。
【００５７】
図１９は、第１３の変形例による磁気センサ１１３の主要部の構成を説明するための略平面図である。図１９に示す例では、切り欠き部７３の内径領域に島状の独立パターン７４が設けられている点において、図１８に示す例と相違している。独立パターン７４は、切り欠き部７３を介して磁性体層４０と分離されている。このような独立パターン７４を追加すれば、切り欠き部７３を形成することによる磁気抵抗の増加を最小限に抑えることが可能となる。
【００５８】
図２０は、第１４の変形例による磁気センサ１１４の主要部の構成を説明するための略平面図である。図２０に示す例では、第１〜第４の感磁素子Ｒ１〜Ｒ４がそれぞれ第１〜第４のギャップＧ１〜Ｇ４に配置された２つの感磁素子によって構成されている。具体的には、直列接続された２つの感磁素子Ｒ１１，Ｒ１２によって第１の感磁素子Ｒ１が構成され、直列接続された２つの感磁素子Ｒ２１，Ｒ２２によって第２の感磁素子Ｒ２が構成され、直列接続された２つの感磁素子Ｒ３１，Ｒ３２によって第３の感磁素子Ｒ３が構成され、直列接続された２つの感磁素子Ｒ４１，Ｒ４２によって第４の感磁素子Ｒ４が構成されている。これによれば、より大きな磁気抵抗効果を得ることができるため、センサ基板２０のサイズをほとんど大型化することなく、高い検出精度を得ることが可能となる。尚、直列接続される２つの感磁素子（例えばＲ１１とＲ１２）の間には、磁性体層４０の第７の領域４７を追加しても構わない。また、各感磁素子Ｒ１〜Ｒ４を直列接続された３以上の感磁素子によって構成しても構わない。
【００５９】
図２１は、第１５の変形例による磁気センサ１１５の主要部の構成を説明するための略断面図である。図２１に示す例では、感磁素子Ｒ１が２つの感磁素子Ｒ１１，Ｒ１２によっているとともに、感磁素子Ｒ１１の一部が磁性体層４０の第１及び第７の領域４１，４７と重なりを有し、感磁素子Ｒ１２の一部が磁性体層４０の第３及び第７の領域４３，４７と重なりを有している。ここで、第７の領域４７は、第１及び第２の領域４１，４３と同じ層に形成されていても構わないし、図２２に示すように、第１及び第２の領域４１，４３とは異なる層に形成されていても構わない。図２２に示す例では、第７の領域４７がセンサ基板２０の素子形成面２１に形成されている。図示しない他の感磁素子Ｒ２〜Ｒ４についても、感磁素子Ｒ１と同様の構成を有している。このように、磁性体層４０に第７の領域４７を設けるとともに、各感磁素子Ｒ１〜Ｒ４と磁性体層４０が重なるよう配置すれば、漏れ磁束が低減されるため、より高い検出精度を得ることが可能となる。
【００６０】
図２３は、第１６の変形例による磁気センサ１１６の主要部の構成を説明するための略平面図である。図２３に示す例では、磁性体層４０の第７の領域４７がギャップＧ１の延在方向であるｙ方向に多数分割されている。図示しない他のギャップＧ２〜Ｇ４上においても同様の構成を有している。このように、磁性体層４０の第７の領域４７をｙ方向に分割すれば、ギャップＧ１〜Ｇ４を介した磁束の流れが感磁方向であるｘ方向に制限され、ｙ方向にはほとんど流れなくなる。つまり、磁性体層４０の第７の領域４７をｙ方向に分割することによって磁気的な異方性が生じることから、より高い検出精度を得ることが可能となる。
【００６１】
図２４は、第１７の変形例による磁気センサ１１７の主要部の構成を説明するための略断面図である。図２４に示す例では、磁性体層４０の膜厚がギャップＧ１〜Ｇ４に向かって連続的に薄くなる構造を有している。このような構成によれば、第１〜第４の感磁素子Ｒ１〜Ｒ４に磁束がより集中することから、検出精度を高めることが可能となる。
【００６２】
図２５は、第１８の変形例による磁気センサ１１８の主要部の構成を説明するための略断面図である。図２５に示す例では、磁性体層４０の膜厚がギャップＧ１〜Ｇ４の近傍において薄くなる段差構造を有している。このような構成であっても、第１〜第４の感磁素子Ｒ１〜Ｒ４に磁束がより集中することから、検出精度を高めることが可能となる。
【００６３】
図２６は、第１９の変形例による磁気センサ１１９の主要部の構成を説明するための略断面図である。図２６に示す例では、磁性体層４０の膜厚がギャップＧ１〜Ｇ４に向かって段階的に薄くなる階段状構造を有している。このような構成であっても、第１〜第４の感磁素子Ｒ１〜Ｒ４に磁束がより集中することから、検出精度を高めることが可能となる。
【００６４】
図２７は、第２０の変形例による磁気センサ１２０の構成を説明するための略斜視図である。図２７に示す例では、ｘｙ平面を有する回路基板１０の表面にセンサ基板２０が横倒しで搭載されている。つまり、センサ基板２０の素子形成面２１がｘｚ面を構成しており、第１の外部磁性体３１がｙ方向に延在している。このような構成によれば、回路基板１０に開口部１１を設ける必要がなくなるとともに、回路基板１０の主面と平行な方向の磁束を選択的に検出することが可能となる。また、第１の外部磁性体３１の高さ（ｙ方向における長さ）を長くしても、第１の外部磁性体３１の支持が不安定となることがない。
【００６５】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【符号の説明】
【００６６】
１０      回路基板
１１      開口部
２０      センサ基板
２１      素子形成面
２２〜２６    絶縁層
３１〜３４    外部磁性体
３５      磁性ブロック
３６      凹部
４０      磁性体層
４１      磁性体層の第１の領域
４２      磁性体層の第２の領域
４３      磁性体層の第３の領域
４４      磁性体層の第４の領域
４５      磁性体層の第５の領域
４６      磁性体層の第６の領域
４７      磁性体層の第７の領域
５１〜５４，６１〜６４    ボンディングパッド
７１，７３    切り欠き部
７２，７４    独立パターン
１００〜１２０    磁気センサ
ＢＷ      ボンディングワイヤ
Ｇ１〜Ｇ４    ギャップ
Ｌ１，Ｌ２    直線
Ｒ１〜Ｒ４    感磁素子
φ        磁束
【図１】
2019074481.tif 000003
【図２】
2019074481.tif 000004
【図３】
2019074481.tif 000005
【図４】
2019074481.tif 000006
【図５】
2019074481.tif 000007
【図６】
2019074481.tif 000008
【図７】
2019074481.tif 000009
【図８】
2019074481.tif 000010
【図９】
2019074481.tif 000011
【図１０】
2019074481.tif 000012
【図１１】
2019074481.tif 000013
【図１２】
2019074481.tif 000014
【図１３】
2019074481.tif 000015
【図１４】
2019074481.tif 000016
【図１５】
2019074481.tif 000017
【図１６】
2019074481.tif 000018
【図１７】
2019074481.tif 000019
【図１８】
2019074481.tif 000020
【図１９】
2019074481.tif 000021
【図２０】
2019074481.tif 000022
【図２１】
2019074481.tif 000023
【図２２】
2019074481.tif 000024
【図２３】
2019074481.tif 000025
【図２４】
2019074481.tif 000026
【図２５】
2019074481.tif 000027
【図２６】
2019074481.tif 000028
【図２７】
2019074481.tif 000029